(57)【要約】【課題】柄付きの清掃具を、壁に立て掛けたり壁面に吊り下げたりすることなく、倒れないように確実に保管することができる清掃具用スタンドを得る。【解決手段】清掃具用スタンド１が塵取りを兼ねていて、集塵箱兼用の基台部１１と、支柱１２と、把手１３とを有し、この把手１３は、上記支柱１２に固定された第１保持アーム１３ａと、この第１保持アーム１３ａに回動自在に取り付けられた第２保持アーム１３ｂとで形成され、両保持アーム１３ａ，１３ｂの先端部には互いに異なる方向の第１凹溝２７と第２凹溝２９とが設けられ、上記両部材１３ａ，１３ｂが第１位置にあるときこれらの第１凹溝２７と第２凹溝２９とが相互に交叉し、それらの交叉部分に清掃具の柄３が保持される。【選択図】　　　　図２
2004049391.tif 000002
【特許請求の範囲】
【請求項１】
床面上に自立状態に設置するための基台部と、この基台部から上向きに立ち上がった支柱と、この支柱の上端部に取り付けられ、清掃具の柄を保持するための保持手段を兼ねる把手とを有し、
上記把手が、相互に開閉自在の一対の保持アームを有していて、少なくとも一方の保持アームに上記柄を嵌合させるための凹溝が形成され、かつ、これらの保持アームが、互いに近接して上記凹溝内に柄を保持する第１位置と、相互に離間して柄を開放する第２位置とに変移可能である、
ことを特徴とする清掃具用スタンド。
【請求項２】
上記把手が、上記一対の保持アームにより構成されていて、これらの保持アームが、柄を保持する上記第１位置に変移したとき相互に近接して把手を形成するように結合されていることを特徴とする請求項１に記載の清掃具用スタンド。
【請求項３】
上記一対の保持アームが、把手として握持するためのグリップ部と、上記柄を保持するための柄保持部とからなっていて、上記第１位置で少なくともグリップ部同士が上下に重なり合うように構成されると共に、上記柄保持部に上記凹溝が形成されていることを特徴とする請求項２に記載の清掃具用スタンド。
【請求項４】
上記一対の保持アームが、上記第１位置でグリップ部同士及び柄保持部同士が重なり合うように構成されると共に、両保持アームの柄保持部に一端が開放する上記凹溝が互いに異なる向きに設けられることにより、上記第１位置では、両保持アームの凹溝が互いに交叉してそれらの交叉部分に上記柄を保持し、第２位置では、両保持アームの凹溝がそれぞれ開放して上記柄の取り出しを可能とするように構成されていることを特徴とする請求項３に記載の清掃具用スタンド。
【請求項５】
上記一対の保持アームが、上記第１位置でグリップ部同士が相互に重なり合うと共に、柄保持部同士が左右に相対するように構成されていて、両保持アームの柄保持部に上記凹溝が形成されていることを特徴とする請求項３に記載の清掃具用スタンド。
【請求項６】
上記一対の保持アームのうち、第１保持アームが支柱の上端に固定的に取り付けられると共に、第２保持アームが該第１保持アームの上面に回動自在に取り付けられていることを特徴とする請求項４又は５に記載の清掃具用スタンド。
【請求項７】
上記把手が、握持用の把手本体と、上記一対の保持アームとを有していて、把手本体にこれらの保持アームが開閉自在に取り付けられていることを特徴とする請求項１に記載の清掃具用スタンド。
【請求項８】
上記基台部を塵芥掃き込み用の集塵箱とすることにより、全体が塵取りとして形成されていることを特徴とする請求項１から７までの何れかに記載の清掃具用スタンド。
【発明の詳細な説明】
【０００１】
【発明の属する技術分野】
本発明は、ワイパーや箒などの柄付きの清掃具の保管に好適な清掃具用スタンドに関するものである。
【０００２】
【従来の技術】
柄付き清掃具の一例として、例えばワイパーや箒などが良く知られている。このうちワイパーは、柄の先端にプレートやスポンジ体等からなる清掃ヘッドを取り付け、この清掃ヘッドに拭布を着脱自在に装着して床やガラス等を清掃するものであり、一方の箒は、柄の先端に植物繊維や合成繊維等を束ねて形成した清掃ヘッド（穂体）を取り付け、この清掃ヘッドで床面等のごみなど掃き取るものである。このような清掃具は、長尺の柄を有しているため、不使用時の保管場所に困り、通常は壁に立て掛けたり、壁に取り付けたフックに吊り下げたりして保管しているが、見栄えが悪いだけでなく、立て掛けた場合には倒れたり、圧力で清掃ヘッドが変形したりし易く、更に、汚れた拭布や穂体等が床面や壁面に接触して汚れ易いというような問題があった。
【０００３】
【発明が解決しようとする課題】
本発明の技術的課題は、柄付きの清掃具を、壁に立て掛けたり壁面に吊り下げたりすることなく、簡単な支持機構によって倒れないように確実に保管できるようにすることにある。
【０００４】
【課題を解決するための手段】
上記課題を解決するため、本発明によれば、床面上に自立状態に設置するための基台部と、この基台部から上向きに立ち上がった支柱と、この支柱の上端部に取り付けられ、清掃具の柄を保持するための保持手段を兼ねる把手とを有し、上記把手が、相互に開閉自在の一対の保持アームを有していて、少なくとも一方の保持アームに上記柄を嵌合させるための凹溝が形成され、かつ、これらの保持アームが、互いに近接して上記凹溝内に柄を保持する第１位置と、相互に離間して柄を開放する第２位置とに変移可能であることを特徴とする清掃具用スタンドが提供される。
【０００５】
上記構成を有する清掃具用スタンドにワイパー等の柄付き清掃具を保持させて保管するときは、上記把手の一対の保持アームを第２位置に回動させ、凹溝内に清掃具の柄を嵌合させたあと、これらの保持アームを第１位置に回動させることにより凹溝内に上記柄を嵌合させる。これによって清掃具の柄は、上記把手における一対の保持アーム間に縦向きに保持されることになる。
【０００６】
かくして上記清掃具用スタンドによれば、柄付きの清掃具を、壁に立て掛けたり壁面に吊り下げたりすることなく、簡単な支持機構により、縦向きの状態で確実に保管することができる。
【０００７】
本発明において好ましくは、上記把手が、上記一対の保持アームにより構成されていて、これら一対の保持アームが、柄を保持する上記第１位置に変移したとき相互に近接して上記把手を形成するように結合されていることである。
【０００８】
この場合、上記保持アームが、把手として握持するためのグリップ部と、上記柄を保持するための柄保持部とからなっていて、上記第１位置で少なくともグリップ部同士が相互に重なり合うように構成され、上記柄保持部に上記凹溝が形成されていることが望ましい。
【０００９】
更に具体的には、上記一対の保持アームが、上記第１位置においてグリップ部同士及び柄保持部同士が共に重なり合うように構成されると共に、両保持アームの柄保持部に一端が開放する上記凹溝が互いに異なる向きに設けられることにより、これらの保持アームが、上記第１位置では、両保持アームの凹溝が互いに交叉してそれらの交叉部分に上記柄を保持し、第２位置では、両保持アームの凹溝がそれぞれ開放して上記柄の取り出しを可能とするように構成されていることが望ましい。
【００１０】
あるいは、上記一対の保持アームを、上記第１位置においてグリップ部同士が相互に重なり合うと共に、柄保持部同士が左右に相対するように構成し、両保持アームにおける柄保持部に上記凹溝を形成することもできる。
【００１１】
本発明においては、上記一対の保持アームのうち、第１保持アームが支柱の上端に固定的に取り付けられると共に、第２保持アームが該第１保持アームの上面に回動自在に取り付けられる。
【００１２】
本発明の他の構成態様にれば、上記把手が、握持用の把手本体と、上記一対の保持アームとを有していて、把手本体にこれらの保持アームが開閉自在に取り付けられている。
【００１３】
また、本発明においては、上記基台部を塵芥掃き込み用の集塵箱とすることにより、清掃具用スタンドを塵取りとして形成することもできる。
【００１４】
【発明の実施の形態】
図１〜図３は、本発明に係る清掃具用スタンドの代表的な一実施例を示すもので、この実施例のスタンド１は、全体に塵取りとしての形態を有していて、図１及び図２には、この塵取り形のスタンド１に、柄付き清掃具としてワイパー２を保持させた例が示されている。
【００１５】
上記ワイパー２は、図７及び図８からも分かるように、操作用の柄３と、この柄３の先端に取り付けられた清掃ヘッド４とを有するもので、この清掃ヘッド４は、上記柄３に連結された横に細長いチャンネル形のスポンジ保持体５と、このスポンジ保持体５に取り付けられた略三角形断面のスポンジ体６と、該スポンジ体６に着脱自在に被着された清掃用の拭布７とで構成されている。
【００１６】
上記柄３は、合成樹脂又は金属等の硬質パイプ素材により形成されていて、基端側の第１柄部分３ａと、中間の第２柄部分３ｂと、先端側の第３柄部分３ｃとからなっており、上記第１柄部分３ａと中間の第２柄部分３ｂとが伸縮自在なるように連結され、この第２柄部分３ｂと上記第３柄部分３ｃとが着脱自在なるように連結され、該第３柄部分３ｃの先端が上記スポンジ保持体５に傾動自在なるように連結されている。
【００１７】
上記スポンジ保持体５は、下面に長手方向の取付溝８を有していて、この取付溝８内に、略三角形の断面を持つ上記スポンジ体６の上面中央の突壁部６ａを嵌合し、接着等の適宜手段で固定することにより、該スポンジ体６を保持するものである。図示の例では、上記スポンジ体６の突壁部６ａに溝形の取付部材９を固着し、この取付部材９を上記スポンジ保持体５の取付溝８内に挿入して係止させることにより、該スポンジ体６が取り付けられている。上記スポンジ保持体５の側面には、２つの係止孔５ａ，５ａが設けられている。
【００１８】
上記拭布７は、１〜９μｍの極細繊維を少なくとも一部に含んだ不織布や、着塵剤や水等を含浸した布、あるいはワイパー用ペーパー等からなるもので、平面視矩形状に形成されている。そして、この拭布７を上記スポンジ体６の外面を覆うように被着し、該拭布７に形成した止着孔７ａ，７ａをスポンジ保持体５の側面のフック５ｂ，５ｂに係止させることにより、該スポンジ体６に取り付けたものである。
【００１９】
また、上記スタンド１は、図１〜図３に示すように、床面上に自立状態に設置するための基台部１１と、この基台部１１の上端中央部から上向きに立ち上がった支柱１２と、この支柱１２の上端部に取り付けられてスタンド１の前後方向に延びる把手１３とを有していて、上記基台部１１が、塵芥掃き込み用の集塵箱を兼ねると共に、上記把手１３が、清掃具の柄３を保持するための保持手段を兼ねている。
【００２０】
上記基台部１１は、床面に接触する実質的に平らな底壁部１６と、該底壁部１６の左右両端から立ち上がった側壁部１７，１７と、基台部１１の上面部及び後面部を覆う覆壁部１８とによって前面が開放する箱形に形成され、その開放する前面が塵芥を掃き込むための掃込口１９となっている。また、上記左右の側壁部１７，１７の前縁１７ａは、上部側が次第に基台部１１の後方に向かって傾斜するように湾曲し、該側壁部１７，１７の中央付近において上記覆壁部１８の前縁１８ａに連なっている。この覆壁部１８の一部はアーチ形に湾曲し、このアーチ形部１８ｂの上面中央に形成された筒状の連結部２０に上記支柱１２が連結されている。また、このアーチ形部１８ｂの内部には、円の一部を切り取ったような形の立壁部２２が形成され、この立壁部２２の前面に２つの突起２３，２３が形成され、これらの突起２３，２３に上記ワイパー２のスポンジ保持体５に形成した係止孔５ａ，５ａを係止させるようにしている。
【００２１】
上記基台部１１の掃込口１９は、その横幅Ｗ及び高さＨが上記スポンジ体６の長さＲ及び高さＳより大きく形成されていて、ワイパー２をスタンド１に取り付けたとき、上記スポンジ体６がこの掃込口１９内に完全に納まると同時に、該スポンジ体６の下端が基台部１１の底壁部１６に接触することなく宙吊り状態で支持されるようになっている。従って、上記スポンジ体６が圧縮による変形を生じないだけでなく、該スポンジ体６の厚さＴがスポンジ保持体５の厚さより大きいために該スポンジ体６がスポンジ保持体５から側方に大きく張り出していても、このスポンジ体６が邪魔になってワイパー２をスタンド１に取り付けにくいということもない。
【００２２】
また、上記把手１３は、図４〜図６からも分かるように、細長いバー状をした第１及び第２の一対の保持アーム１３ａ，１３ｂにより構成されている。これらの保持アーム１３ａ，１３ｂは、それぞれを合成樹脂で個別に成形したもので、薄肉の平板の裏面周縁部とその内側部分とをリブで補強した構成を有していて、把手として握持するための基端側のグリップ部１４と、上記ワイパー２の柄３を保持するための先端側の柄保持部１５とからなっている。これらの保持アーム１３ａ，１３ｂは、上下に重なるように配置され、グリップ部１４の基端部の位置で軸２６によりその中心軸線Ｌの回りに相互に回動自在になるように連結され、上記グリップ部１４，１４同士及び柄保持部１５，１５同士が共に重なり合うことによって把手として握持可能且つ清掃具の柄３を保持可能な第１位置Ａ（図５）と、上記柄保持部１５，１５が互いに離間して上記柄３を解放する第２位置Ｂ（図６）との間を、相対的に変移可能となっている。
【００２３】
下側に位置する第１保持アーム１３ａには、その先端の上記柄保持部１５に、清掃具の柄３を縦向きにして嵌合可能な略Ｕ字形をした第１凹溝２７が、該柄保持部１５の先端から基端部側即ちグリップ部１４側に向けて形成されると共に、上記グリップ部１４の先端寄りの下面位置に、筒状をした取付部２８が形成され、この取付部２８を上記支柱１２の上端に嵌着することにより、該支柱１２に固定的に取り付けられている。一方、上側に位置する上記第２保持アーム１３ｂには、その先端の柄保持部１５に、上記柄３が嵌合可能な略Ｕ字形の第２凹溝２９が、該柄保持部１５の側端部から保持アームの横幅方向に向けて形成されている。即ち、これらの保持アーム１３ａ，１３ｂの柄保持部１５には、一端が開放する上記凹溝２７，２９が、互いに異なる向きに形成されている。
【００２４】
そして、上記両保持アーム１３ａ，１３ｂは、第２保持アーム１３ｂが図６の第２位置Ｂから図５の第１位置Ａに回動して第１保持アーム１３ａ上に重なったとき、第１凹溝２７と第２凹溝２９とが相互に交叉し、それらの交叉部分に上記柄３が嵌合して保持されるように構成されている。このとき、第１凹溝２７の先端の開口は、第２凹溝２９の一方の側壁２９ａによって塞がれ、第２凹溝２９の先端の開口は、第１凹溝２７の一方の側壁２７ａによって塞がれる。この側壁２７ａは、第２凹溝２９の開口を完全に塞ぐことができるように、他方の側壁２７ｂより長く形成されている。
【００２５】
上記構成を有する清掃具用スタンド１に上記ワイパー２を保持させて保管するときは、把手１３の第２保持アーム１３ｂを図６に示すように第２位置Ｂに回動させ、その状態で第１保持アーム１３ａの第１凹溝２７内に清掃具の柄３を嵌合させたあと、上記第２保持アーム１３ｂを図５に示す第１位置Ａに回動させる。これによって上記柄３は、両部材１３ａ，１３ｂの互いに交叉する第１凹溝２７と第２凹溝２９との交叉部分に嵌合し、両部材１３ａ，１３ｂで周囲を取り囲まれた状態に保持されることになる。
【００２６】
このとき、スポンジ保持体５に形成した係止孔５ａ，５ａを基台部１１の突起２３，２３に係止させることにより、ワイパー２をスポンジ体６が基台部１１の底壁部１６に接触しないように宙吊り状態に支持することができるが、スポンジ体６等を有する清掃ヘッド４が圧力で変形する心配がない場合には、該清掃ヘッド４を基台部１１の底壁部１６に接触させた状態で保管しても良い。何れにしても、保管時に清掃ヘッド４が床面に接触することがないため、この清掃ヘッド４の接触によって床面が汚れることがない。
【００２７】
床面等を清掃する時は、上記把手１３の第２保持アーム１３ｂを図６に示す第２位置Ｂに回動させてワイパー２を取り外したあと、該第２保持アーム１３ｂを図５に示す第１位置Ａに回動させて把手１３の形に戻し、この把手１３のグリップ部１４を持つことによってスタンド１を塵取りとして持ち運びながら、集塵箱を兼ねる基台部１１内に上記ワイパー２でごみを掃き込むようにする。
【００２８】
かくして上記清掃具用スタンド１は、把手１３を開閉するだけの簡単の操作により、柄付きワイパーを、壁に立て掛けたり壁面に吊り下げたりすることなく、縦向きの状態で倒れないように簡単かつ確実に保管することができる。
【００２９】
図９〜図１１は把手の第１変形例を示すもので、この把手１３Ａが図４〜図６に示す把手１３と異なる点は、一対の保持アーム１３ａ，１３ｂにおける柄保持部１５，１５が、第１位置Ａにおいて上下に重なり合うことなく、左右に相対するように位置し、それらの内側面にそれぞれ凹溝３０，３０を有しているという点である。即ち、これらの柄保持部１５，１５は、互いに逆向きに湾曲する円弧状をしていて、内側面側に半円状をした上記凹溝３０，３０を互いに向かい合うように有し、上記第１位置Ａにおいて、両柄保持部１５，１５の先端部同士が相互に当接するか、あるいは僅かな間隔をおいた状態で相対し、上記凹溝３０，３０間にワイパー２の柄３を保持するようになっている。
【００３０】
この場合、上記両柄保持部１５，１５の高さを揃えるため、下側に位置する第１保持アーム１３ａの柄保持部１５の上面を、上側に位置する第２保持アーム１３ｂのグリップ部１４の上面と同じレベルになるように上向きに延ばし、上側に位置する第２保持アーム１３ｂの柄保持部１５の下面を、下側に位置する第１保持アーム１３ａのグリップ部１４の下面と同じレベルになるように下向きに延ばしているが、両柄保持部１５，１５の高さは必ずしも揃える必要がない。
なお、上記把手１３Ａの上述したこと以外の構成については、実質的に把手１３と同じであるから、主要な同一構成部分に把手１３の場合と同じ符号付してその説明は省略する。
【００３１】
図１２は把手の第２変形例を示すもので、この把手１３Ｂが上述の把手１３及び１３Ａと相違する点は、これらの把手１３及び１３Ａが、開閉自在の一対の保持アーム１３ａ，１３ｂによってその全体を構成されているのに対し、この把手１３Ｂは、開閉しない握持用の把手本体３２に、開閉自在の一対の保持アーム３３ａ，３３ｂを取り付けることにより構成されているという点である。図示した例ではこれらの保持アーム３３ａ，３３ｂが、上記第１変形例の把手１３Ａにおける柄保持部１５のように、それぞれ円弧状をしていて、内側面側に半円状の凹溝３０を有しているが、上記把手１３における柄保持部１５のように、一端が開放する凹溝２７，２９を互いに異なる向きに形成したものであっても良い。
【００３２】
上述した各把手１３，１３Ａ，１３Ｂは、一対の保持アームにそれぞれ凹溝を設けているが、図１３及び図１４に示す第３変形例の把手１３Ｃのように、一方の保持アームだけに凹溝を設けることもできる。この把手１３Ｃは、第１保持アーム１３ａの柄保持部１５に、その側面方向に向けて開放する凹溝３１が形成されており、これに対して第２保持アーム１３ｂの柄保持部１５は、細幅の棒状に形成されていて、上記凹溝３１の開口部を塞ぐため、グリップ１４の幅方向の一端側から前方に向けて延設されている。
【００３３】
なお、上記スタンド１で保管することができる清掃具は、上述したような形態のワイパー２に限るものではなく、例えば、柄の先端に平板状をした清掃ヘッドを取り付け、この清掃ヘッドに拭布を挿着したタイプのものや、柄の先端に糸束を取り付けたタイプのものなども保管することが、あるいは、箒類も同様にして保管することができる。
【００３４】
上記実施例のスタンド１は、基台部１１を集塵箱とすることによって塵取りとして形成されているが、このような塵取り以外の機能を兼備するものであっても良い。あるいは、清掃具を支持する専用のスタンドであっても良く、この場合には、上記基台部１１は単なるブロックとして形成することができる。
【００３５】
【発明の効果】
このように本発明によれば、柄付きの清掃具を、壁に立て掛けたり壁面に吊り下げたりすることなく、簡単な支持機構によって倒れないように確実に保管することができる。
【図面の簡単な説明】
【図１】本発明に係る清掃具用スタンドの一実施例を示す正面図である。
【図２】図１の側面図である。
【図３】図１の平面図である。
【図４】図２の要部拡大図である。
【図５】図４の平面図である。
【図６】図４の平面図で、第２保持アームを第２位置に回動させた状態を示すものである。
【図７】ワイパーの要部正面図である。
【図８】図７の側面図である。
【図９】把手の第１変形例を示す側面図である。
【図１０】図９の平面図である。
【図１１】図９の平面図で、第２保持アームを第２位置に回動させた状態を示すものである。
【図１２】把手の第２変形例を示す平面図である。
【図１３】把手の第３変形例を示す平面図である。
【図１４】図１３において第２保持アームを第２位置に回動させた状態の図である。
【符号の説明】
１　　　スタンド
２　　　ワイパー
３　　　柄
１１　　　基台部
１２　　　支柱
１３，１３Ａ，１３Ｂ，１３Ｃ　　　把手
１３ａ　　　第１保持アーム
１３ｂ　　　第２保持アーム
１４　　　グリップ部
１５　　　柄保持部
２７　　　第１凹溝
２９　　　第２凹溝
３０，３１　　　凹溝
３２　　　把手本体
３３ａ，３３ｂ　　　保持アーム
Ａ　　　第１位置
Ｂ　　　第２位置
【図１】
2004049391.tif 000003
【図２】
2004049391.tif 000004
【図３】
2004049391.tif 000005
【図４】
2004049391.tif 000006
【図５】
2004049391.tif 000007
【図６】
2004049391.tif 000008
【図７】
2004049391.tif 000009
【図８】
2004049391.tif 000010
【図９】
2004049391.tif 000011
【図１０】
2004049391.tif 000012
【図１１】
2004049391.tif 000013
【図１２】
2004049391.tif 000014
【図１３】
2004049391.tif 000015
【図１４】
2004049391.tif 000016